(57)【要約】  【課題】  建造物の隅角部に対する耐電圧及び耐電流効果により、落雷時に建造物の隅角部が破損するのを防止することができ、建造物の隅角部への取り付けを簡単にできる隅角部用受雷部を提供する。  【解決手段】  パラペットの隅角部に設置される、雷撃を受け止める隅角部用受雷部１０を、パラペットの上面部とその隣接する二側面とが交差する隅角部を覆う略箱状型の覆設器１１と、該覆設器１１の、上記二側面の接合部の対角部に吊設される略箱型状の固定器１２と、覆設器１１と固定器１２とを、これらによりパラペットが挟み付けられるよう締め付け固定するネジ部材１３とから構成した。【選択図】      図１
2005204447.tif 000002
【特許請求の範囲】
【請求項１】
建造物の上面部とその上面部に隣接する二面接合部とが交差する隅角部に設置され、雷撃を受止めて上記建造物の隅角部を落雷から保護する隅角部用受雷部において、
上記建造物の隅角部に覆設される略箱状型の覆設器と、
前記覆設器の二面接合部の対角部に吊設される略箱状型の固定器と、
前記覆設器に前記固定器を吊設させるネジ部材とを備え、
前記ネジ部材を締付けて上記建造物を前記覆設器と前記固定器とで挟むことにより該隅角部用受雷部が上記建造物の隅角部に設置される、
ことを特徴とする隅角部用受雷部。
【請求項２】
請求項１に記載の隅角部用受雷部において、
前記覆設器は、伸長方向用受雷部を接合する連結器を有する、
ことを特徴とする隅角部用受雷部。
【請求項３】
請求項２に記載の隅角部用受雷部において、
前記伸長方向用受雷部は、略コ字型断面形状を有するコ字型断面形状受雷部であり、
前記連結器は、凸型断面形状を有する凸型断面形状連結器であり、
前記コ字型断面形状受雷部が前記凸型断面形状連結器に挿着される、
ことを特徴とする隅角部用受雷部。
【請求項４】
請求項２に記載の隅角部用受雷部において、
前記伸長方向用受雷部は、帯板平面形状を有する帯板形状受雷部であり、
前記連結器は、平板平面形状を有する平板平面形状連結器であり、
前記帯板形状受雷部が前記平板平面形状連結器に接合される、
ことを特徴とする隅角部用受雷部。
【請求項５】
請求項２に記載の隅角部用受雷部において、
前記伸長方向用受雷部は、撚線形状を有する撚線形状受雷部であり、
前記連結器は、前記撚線形状受雷部が圧着固定される撚線形状受雷部連結器であり、
前記撚線形状受雷部が前記撚線形状連結器に圧着固定される、
ことを特徴とする隅角部用受雷部。
【請求項６】
請求項５に記載の隅角部用受雷部において、
前記撚線形状受雷部連結器は、
前記撚線形状受雷部が圧着固定されるテーパーネジ部材と、
前記テーパーネジ部材が螺着固定される連結部材とを有する、
ことを特徴とする隅角部用受雷部。
【発明の詳細な説明】
【技術分野】
【０００１】
本発明は、隅角部用受雷部に関し、特に、雷撃を受止めて建造物を落雷から保護する、建造物の隅角部に設置される避雷設備に関するものである。
【背景技術】
【０００２】
従来、受雷部を建造物の隅角部に設置するために種々の方策がとられている（例えば、特許文献１参照。）。
図１２は、従来の建造物の隅角部に設置される避雷設備の取付け状態の１例を示す図であり、図１２(a)は平面図、図１２(b)は正面図である。
従来の建造物の隅角部に設置される避雷設備は、雷撃を受止める帯板形状受雷部１００１と、帯板形状受雷部１００１を建造物に固定する受雷部取付金物１００２と、２つの帯板形状受雷部１００１を電気的及び機械的に接合する略Ｌ字型平面形状のＬ字型継手１００３とにより構成されている。
２つの帯板形状受雷部１００１はそれぞれ、その一部が建造物１０００の隅角部近傍に配設された受雷部取付金物１００２により支持され、２つの帯板形状受雷部１００１の、近接する端部が、Ｌ字型継手１００３と、ボルト、ナット、座金からなるネジ部材１００４とによって電気的及び機械的に接合される。ここで、帯板形状受雷部１００１は、建造物の上面の外縁からおおよそ２０ｃｍ以内のところに設置される。
【特許文献１】特開平１１−８０９２号公報（第１−４頁、第１図）
【発明の開示】
【発明が解決しようとする課題】
【０００３】
しかし、上述のように構成された従来の建造物の隅角部に設置される避雷設備は、その建造物の隅角部に落雷した時に避雷設備としての機能が十分発揮されず、依然として建造物の隅角部が破損するという問題点があった。
【０００４】
本発明は、上記のような問題を鑑みてなされたものであり、建造物の隅角部に対する耐電圧及び耐電流効果により、落雷時に建造物の隅角部が破損するのを防止することができ、しかも建造物の隅角部への取り付けを簡単にできる隅角部用受雷部を提供しようとするものである。
【課題を解決するための手段】
【０００５】
前記課題を解決するために、建造物の上面部とその上面部に隣接する二面接合部とが交差する隅角部に設置され、雷撃を受止めて上記建造物の隅角部を落雷から保護する隅角部用受雷部において、上記建造物の隅角部に覆設される略箱状型の覆設器と、前記覆設器の二面接合部の対角部に吊設される略箱状型の固定器と、前記覆設器に前記固定器を吊設させるネジ部材とを備え、前記ネジ部材を締付けて上記建造物を前記覆設器と前記固定器とで挟むことにより該隅角部用受雷部が上記建造物の隅角部に設置される、ことを特徴とするものである。
【０００６】
また、この発明は、上記隅角部用受雷部において、前記覆設器は伸長方向用受雷部を接合する連結器を有することを特徴とするものである。
【０００７】
また、この発明は、上記隅角部用受雷部において、前記伸長方向用受雷部は略コ字型断面形状を有するコ字型断面形状受雷部であり、前記連結器は凸型断面形状を有する凸型断面形状連結器であり、前記コ字型断面形状受雷部が前記凸型断面形状連結器に挿着される、ことを特徴とするものである。
【０００８】
また、この発明は、上記隅角部用受雷部において、前記伸長方向用受雷部は帯板平面形状を有する帯板形状受雷部であり、前記連結器は平板平面形状を有する平板平面形状連結器であり、前記帯板形状受雷部が前記平板平面形状連結器に接合される、ことを特徴とするものである。
【０００９】
また、この発明は、上記隅角部用受雷部において、前記伸長方向用受雷部は撚線形状を有する撚線形状受雷部であり、前記連結器は前記撚線形状受雷部が圧着固定される撚線形状受雷部連結器であり、前記撚線形状受雷部が前記撚線形状連結器に圧着固定される、ことを特徴とするものである。
【００１０】
また、この発明は、上記隅角部用受雷部において、前記撚線形状受雷部連結器は、前記撚線形状受雷部が圧着固定されるテーパーネジ部材と、前記テーパーネジ部材が螺着固定される連結部材とを有する、ことを特徴とするものである。
【発明の効果】
【００１１】
この発明によれば、建造物の上面部とその上面部に隣接する二面接合部とが交差する隅角部に設置され、雷撃を受止めて上記建造物の隅角部を落雷から保護する隅角部用受雷部において、上記建造物の隅角部に覆設される略箱状型の覆設器と、前記覆設器の二面接合部の対角部に吊設される略箱状型の固定器と、前記覆設器に前記固定器を吊設させるネジ部材とを備え、前記ネジ部材を締付けて上記建造物を前記覆設器と前記固定器とで挟むことにより該隅角部用受雷部が上記建造物の隅角部に設置されるので、被雷時に建造物の隅角部が破損するのを防止でき、かつ、建造物の隅角部への取付けを簡単にできる隅角部用受雷部を提供することが可能となる効果がある。
【００１２】
また、この発明によれば、前記覆設器は伸長方向用受雷部を接合する連結器を有するので、建造物の隅角部にて、隅角部用受雷部に伸長方向用受雷部を機械的かつ電気的に接続されるよう取り付けることができる効果がある。
【００１３】
また、この発明によれば、前記伸長方向用受雷部は略コ字型断面形状を有するコ字型断面形状受雷部であり、前記連結器は凸型断面形状を有する凸型断面形状連結器であり、前記コ字型断面形状受雷部が前記凸型断面形状連結器に挿着されるので、建造物の隅角部にて、略コ字型断面形状受雷部を凸型断面形状連結器に挿入するだけで、隅角部用受雷部に伸長方向用受雷部を機械的かつ電気的に接続されるようしっかり取り付けることができる効果がある。
【００１４】
また、この発明によれば、前記伸長方向用受雷部は帯板平面形状を有する帯板形状受雷部であり、前記連結器は平板平面形状を有する平板平面形状連結器であり、前記帯板形状受雷部が前記平板平面形状連結器に接合されるので、帯板形状受雷部を帯板形状受雷部に重ね合わせて固定するだけで、建造物の隅角部で、隅角部用受雷部に伸長方向用受雷部を機械的かつ電気的に接続されるよう簡単に取り付けることができる効果がある。
【００１５】
また、この発明によれば、前記伸長方向用受雷部は、撚線形状を有する撚線形状受雷部であり、前記連結器は、前記撚線形状受雷部が圧着固定される撚線形状受雷部連結器であり、前記撚線形状受雷部が前記撚線形状連結器に圧着固定されるので、建造物の隅角部にて、撚線形状受雷部を前記撚線形状連結器に圧着固定することにより、隅角部用受雷部に伸長方向用受雷部を機械的かつ電気的に接続されるよう、簡単にかつしっかり取付けることができる効果がある。
【００１６】
また、この発明によれば、前記撚線形状受雷部連結器は、前記撚線形状受雷部が圧着固定されるテーパーネジ部材と、前記テーパーネジ部材が螺着固定される連結部材とを有するので、前記撚線形状受雷部を当該隅角部用受雷部に機械的かつ電気的に接続されるよう、簡単にかつしっかり取り付けることができる効果がある。
【発明を実施するための最良の形態】
【００１７】
（実施の形態１）
以下、本発明の実施の形態１による隅角部用受雷部について、図１ないし図４の各図を参照して説明する。
図１は、本実施の形態１の隅角部用受雷部を示す斜視図である。
本実施の形態１の隅角部用受雷部１０は、建造物の上面部とその上面部に隣接する二面接合部とが交差する隅角部に設置され、雷撃を受止めて上記建造物の隅角部を落雷から保護するものである。
【００１８】
この隅角部用受雷部１０は、上記建造物の隅角部に覆設される略箱状型の覆設器１１と、該覆設器１１の二面接合部の対角部に吊設される略箱状型の固定器１２と、前記覆設器１１に前記固定器１２を吊設させるネジ部材１３とを有しており、該隅角部用受雷部１０は、前記ネジ部材１３を締付けて上記建造物を前記覆設器１１と前記固定器１２とで挟むことにより上記建造物の隅角部に取り付けられる。
【００１９】
図２(a)は隅角部用受雷部を構成する覆設器１１を示す平面図であり、図２(b)は隅角部用受雷部を構成する固定器１２を示す平面図である。図３は、本実施の形態１の隅角部用受雷部１０を建造物の隅角部に取付けた状態を示す平面図、図４は、その断面図である。なお、上記建造物の隅角部は、具体的には、パラペット１の隅角部、つまり建造物の屋上やバルコニーなどの外周に沿って形成された低い壁部の隅角部である。
【００２０】
以下、本実施の形態１の隅角部用受雷部１０の各部について説明する。
覆設器１１は、ステンレス製の略箱状体からなり、隣接する二つの側面部と底部とが開放された構造となっている。つまり、覆設器１１は、略立方体形状の上面に相当する略正方形形状の頂板１１１と、該略立方体形状の隣接する２つの側面に相当する側板１１３ａ及び側板１１３ｂを有し、頂板１１１の、上記２つの側板の接合部に対向する対角部には、内側に入り込んだ入偶部１１１ｅが形成され、上記両側板１１３ａ及び１１３ｂには、その下端に沿って、これらの側板の内面側に迫り出すよう一定幅の底板１１２が取り付けられている。
【００２１】
ここで、覆設器１１は、これを建造物の隅角部に覆設したとき、上記頂板１１１の２つの側板の接合部側が、その接合部に対向する対角部側に対して若干高くなるよう、該頂板１１１を傾斜させた構造となっている。また、頂板１１１の、入偶部１１１ｅが形成された対角部には、入偶部１１１ｅに沿って３つのネジ穴１１４が形成されており、また、該頂板１１１上には、上記入偶部１１１ｅが形成された対角部を挟む２辺のそれぞれのほぼ中央に位置するよう、凸型断面形状連結器１４ａ、及び１４ｂが取り付けられている。
【００２２】
凸型断面形状連結器１４ａ及び１４ｂは、凸型断面形状を有するアルミニュウム製の短尺物であり、それぞれ長辺方向に沿って雌ネジ部１４１が２箇所設けられ、その表面はアルマイト加工されている。またこれらの凸型断面形状連結器１４ａ及び１４ｂは、頂板１１１の上面部に溶接部１４２によって固着されている。そして、図３及び図４に示すように、これらの凸型断面形状連結器１４ａ及び１４ｂにコ字型断面形状受雷部１６ａ及び１６ｂを挿着し、固定ボルト１５を、コ字型断面形状受雷部１６ａ及び１６ｂに形成されたボルト穴を通して連結器１４ａ及び１４ｂに螺着することにより、コ字型断面形状受雷部１６ａ及び１６ｂが凸型断面形状連結器１４ａ及び１４ｂに固定される。ここで、コ字型断面形状受雷部１６ａ及び１６ｂは、略コ字型断面形状を有する長尺物の受雷部であり、雷撃を受止めるとともに隅角部用受雷部１０への落雷によって生じた雷電流を図示されない接地極へ流すものである。
【００２３】
また、固定器１２は、上記覆設器１１とほぼ相似形の、上面の大きさが、上記覆設器１１の頂板１１１の、入偶部１１１ｅが形成された対角部に相当する程度の大きさであるステンレス製の略箱状体からなり、隣接する二つの側面部と底部とが開放された構造となっている。つまり、固定器１２は、箱状体の上面に相当する略正方形形状の頂板１２１と、該箱状体の隣接する２つの側面に相当する側板１２３ａ及び側板１２３ｂを有し、頂板１２１の、上記２つの側板の接合部に対向する対角部には、内側に入り込んだ入偶部１２１ｅが形成され、上記両側板１２３ａ及び１２３ｂには、その下端に沿って、これらの側板の外面側に迫り出すよう一定幅の底板１２２が取り付けられている。また、頂板１２１の、入偶部１２１ｅが形成された対角部には、入偶部１２１ｅに沿って、頂板１１１の、入偶部１１１ｅが形成された対角部に形成された３つのネジ穴１１４と一致した位置に３つのネジ穴１２４が形成されている。
【００２４】
ネジ部材１３は、覆設器１１に固定器１２を吊設させるものであり、覆設器１１のネジ穴１１４及び固定器１２のネジ１２４に挿入されるボルト１３１と、ボルト１３１に装着されるナット１３２と、座金１３３と構成されている。なお、このネジ部材１３は、そのナット１３２をダブルナットとして、隅角部用受雷部１０を構成する各部材の飛来落下によって生ずる第３者災害及び建造物の損傷の防止対策を施している。
【００２５】
上述のように構成された本実施の形態１における隅角部用受雷部１０をパラペット１に取付ける手順を説明する。
図３、図４の各図に示すように、先ず、覆設器１１を、パラペット１の上部表面を覆う笠木２上に、底板１１２の内側端をパラペット１の外側面に密接させて、パラペット１の隅角部を覆うようにして仮置きする。固定器１２を、仮置きされた覆設器１１に該固定器１２の底板１２２及び側板１２３をパラペット１のアゴ部に密接させてネジ部材１３を用いて取付ける。この際、ネジ部材１３を締め付けることにより、パラペット１が覆設器１１と固定器１２とにより挟み付けられ、隅角部用受雷部１０がパラペット１に固定されて設置される。
【００２６】
そして、隅角部用受雷部１０に設けられた凸型断面形状連結器１４ａ及び１４ｂにコ字型断面形状受雷部１６ａ及び１６ｂの一方端を挿入し、ボルト１５を用いてコ字型断面形状受雷部１６ａ及び１６ｂをそれぞれ凸型断面形状連結器１４ａ及び１４ｂに固定する。これにより、コ字型断面形状受雷部１６ａ及び１６ｂは隅角部用受雷部１０と電気的及び機械的に接合される。
【００２７】
以上のように、本実施の形態１では、パラペット１の隅角部に設定される、雷撃を受け止める隅角部用受雷部１０を、パラペット１の上面部とその隣接する二側面とが交差する隅角部を覆う略箱状型の覆設器１１と、該覆設器１１の、上記二側面の接合部の対角部に吊設される略箱型状の固定器１２と、覆設器１１と固定器１２とを、これらによりパラペット１が挟み付けられるよう締め付け固定するネジ部材１３とから構成したので、隅角部用受雷部１０のパラペットの隅角部への設置は、パラペット１上にその隅角部を覆うよう覆設器１１を配置し、覆設器１１に固定器１２をネジ部材１３により締め付け固定することにより、簡単に行うことができる。
【００２８】
また、覆設器１１の頂板１１１上の側縁部には、隅角部用受雷部に他の伸長方向用受雷部を接合する凸型断面形状連結器１４ａ及び１４ｂが設けられているので、パラペット１の隅角部を除く上面部に配設されるコ字型断面形状受雷部１６ａ及び１６ｂと隅角部用受雷部１０との機械的かつ電気的な接続を簡単に行うことができる。
【００２９】
なお、本実施の形態１においては、伸長方向用受雷部を、コ字型断面形状を有するコ字型断面形状受雷部としたが、伸長方向用受雷部は、断面形状が長方形である帯状平板からなるものであってもよい。
【００３０】
（実施の形態２）
以下、本発明の実施の形態２による隅角部用受雷部について、図５及び図６の各図を参照して説明する。
図５は、本実施の形態２の隅角部用受雷部を説明する平面図である。
本実施の形態２の隅角部用受雷部は、図１に示す実施の形態１の隅角部用受雷部１０と同様、建造物の上面部とその上面部に隣接する二面接合部とが交差する隅角部に設置され、雷撃を受止めて上記建造物の隅角部を落雷から保護するものである。
【００３１】
つまり、この実施の形態２の隅角部用受雷部は、上記建造物の隅角部に覆設される略箱状型の覆設器２１と、該覆設器２１の二面接合部の対角部に吊設される略箱状型の固定器（図示せず）と、前記覆設器２１に前記固定器を吊設させるネジ部材（図示せず）とを有している。
【００３２】
そして、この実施の形態２の覆設器２１は、実施の形態１の覆設器１１の凸型断面形状連結器１４ａ及び１４ｂに代わる平板平面形状連結器（以下、平板状連結器と略記する）２４ａ及び２４ｂを備えたものである。なお、この実施の形態２の固定器及びネジ部材は、実施の形態１のものと同一である。
【００３３】
この実施の形態２の覆設器２１は、実施の形態１の覆設器１１と同様、ステンレス製の略箱状体からなり、隣接する二つの側面部と底部とが開放された構造となっている。つまり、覆設器２１は、箱状体の上面に相当する略正方形形状の頂板２１１と、該箱状体の隣接する２つの側面に相当する側板１１３ａ及び側板１１３ｂを有し、頂板２１１の、上記２つの側板の接合部に対向する対角部には、内側に入り込んだ入偶部１１１ｅが形成され、上記両側板１１３ａ及び１１３ｂには、その下端に沿って、これらの側板の内面側に迫り出すよう一定幅の底板（図示せず）が取り付けられている。
【００３４】
ここで、覆設器２１は、これを建造物の隅角部に覆設したとき、上記頂板２１１の２つの側板の接合部側が、その接合部に対向する対角部側に対して若干高くなるよう、該頂板２１１を傾斜させた構造となっている。また、頂板２１１の、入偶部１１１ｅが形成された対角部には、入偶部１１１ｅに沿って３つのネジ穴１１４が形成されており、また、該頂板２１１上には、上記入偶部１１１ｅが形成された対角部を挟む２辺のそれぞれのほぼ中央に位置するよう、平板状連結器２４ａ、及び２４ｂが設けられている。
【００３５】
平板状連結器２４ａ及び２４ｂは、略長方形断面形状を有するアルミニュウム製の短尺物であり、それぞれ長辺方向に沿って雌ネジ部２４１が２箇所設けられ、その表面はアルマイト加工されている。また、上記頂板２１１の、該平板状連結器２４ａ及び２４ｂの雌ネジ部が位置する部分は、その雌ネジ部２４１と歯合いするよう形成した雌ネジ部２１５となっており、該平板状連結器２４ａ及び２４ｂは、頂板２１１に溶接部２４２によって取付けられている。
【００３６】
そして、これらの平板状連結器２４ａ及び２４ｂに、図６に示すように帯板形状受雷部２６の一端側を重ね合わせ、固定ボルト２５を、平板状連結器２４ａ及び２４ｂの一端側に形成されたボルト穴を通して、連結器２４ａ及び２４ｂの雌ネジ部２４１と頂板２１１の雌ネジ部２１５に螺着することにより、帯板形状受雷部２６が平板状連結器２４ａ及び２４ｂに固定される。ここで、帯板形状受雷部２６は、略長方形断面形状を有する帯板平面形状の長尺物の受雷部であり、雷撃を受止めるとともに隅角部用受雷部２０への落雷によって生じた雷電流を図示されない接地極へ流すものである。
【００３７】
次に本実施の形態２の隅角部用受雷部をパラペット１に取付ける手順を説明する。
実施の形態１の隅角部用受雷部１０の取り付け手順と同様に、先ず、覆設器２１を、パラペット１の上部表面を覆う笠木２上に、底板（図示せず）の内側端をパラペット１の外側面に密接させて、パラペット１の隅角部を覆うようにして仮置きする。次に、固定器（図示せず）を、仮置きされた覆設器２１に該固定器の底板及び側板をパラペット１のアゴ部に密接させてネジ部材を用いて取付ける。この際、ネジ部材を締め付けることにより、パラペット１が覆設器２１と固定器とにより挟み付けられ、隅角部用受雷部がパラペット１に固定されて設置される。
【００３８】
そして、隅角部用受雷部に設けられた平板状連結器２４ａ及び２４ｂに帯板形状受雷部２６の一方端を、ボルトと、座金とで構成されるネジ部材２５を用いて固定することにより、帯板形状受雷部２６は本実施の形態２の隅角部用受雷部と電気的及び機械的に接合される。
【００３９】
以上のように、本実施の形態２では、パラペット１の隅角部に設定される、雷撃を受け止める隅角部用受雷部を、パラペット１の上面部とその隣接する二側面とが交差する隅角部を覆う略箱状型の覆設器２１と、該覆設器２１の、上記二側面の接合部の対角部に吊設される略箱型状の固定器と、覆設器２１と固定器とを、これらによりパラペット１が挟み付けられるよう締め付け固定するネジ部材とから構成したので、隅角部用受雷部のパラペットの隅角部への設置は、パラペット１上にその隅角部を覆うよう覆設器２１を配置し、覆設器２１に固定器をネジ部材により締め付け固定することにより、簡単に行うことができる。
【００４０】
また、覆設器２１の頂板２１１上の側縁部には、本実施の形態２の隅角部用受雷部に他の伸長方向用受雷部を接合する平板状連結器２４ａ及び２４ｂが設けられているので、パラペット１の隅角部を除く上面部に配設される帯板形状受雷部２６と、本実施の形態２の隅角部用受雷部との機械的かつ電気的な接続を簡単に行うことができる。
【００４１】
また、帯板形状受雷部２６は、電流及び電圧に対する耐性を考慮してその厚さや幅が設定され、頂板２１１の厚さは、設計上、帯板形状受雷部２６の厚さと同一とされるが、頂板２１１は、その帯板形状受雷部２６と接続される部分及びその周辺部のみを、帯板形状受雷部２６の厚さと同一の厚さとすることにより、設計上要求される電流及び電圧に対する耐性を確保することができることが確かめられている。そして、頂板２１１を、その帯板形状受雷部２６と接続される部分及びその周辺部のみ厚くする必要がある場合には、実際上は、頂板２１１の厚さは変えずに、平板状連結器２４ａ及び２４ｂの厚さや面積を調整するが、本実施の形態２のように、平板状連結器２４ａ及び２４ｂを金属平板から構成したものでは、その厚さや面積の調整が構造上簡単であるため、覆設器頂板２１１の、帯板形状受雷部２６と接合される部分での厚みを、容易に調整することが可能となる。
【００４２】
（実施の形態３）
以下、本発明の本実施の形態３による隅角部用受雷部について、図７ないし図９の各図を参照して説明する。
図７は、本実施の形態３の隅角部用受雷部を説明する平面図である。
本実施の形態３の隅角部用受雷部は、図１に示す実施の形態１の隅角部用受雷部１０と同様、建造物の上面部とその上面部に隣接する二面接合部とが交差する隅角部に設置され、雷撃を受止めて上記建造物の隅角部を落雷から保護するものである。
【００４３】
つまり、この実施の形態３の隅角部用受雷部は、上記建造物の隅角部に覆設される略箱状型の覆設器３１と、該覆設器３１の二面接合部の対角部に吊設される略箱状型の固定器（図示せず）と、前記覆設器３１に前記固定器を吊設させるネジ部材（図示せず）とを有している。
【００４４】
そして、この実施の形態３の覆設器３１は、実施の形態１の覆設器１１の凸型断面形状連結器１４ａ及び１４ｂに代わる撚線形状受雷部連結器３４ａ及び３４ｂを備えたものである。なお、この実施の形態３の固定器及びネジ部材は、実施の形態１のものと同一である。
【００４５】
この実施の形態３の覆設器３１は、実施の形態１の覆設器１１と同様、ステンレス製の略箱状体からなり、隣接する二つの側面部と底部とが開放された構造となっている。つまり、覆設器３１は、箱状体の上面に相当する略正方形形状の頂板３１１と、該箱状体の隣接する２つの側面に相当する側板１１３ａ及び側板１１３ｂを有し、頂板３１１の、上記２つの側板の接合部に対向する対角部には、内側に入り込んだ入偶部１１１ｅが形成され、上記両側板１１３ａ及び１１３ｂには、その下端に沿って、これらの側板の内面側に迫り出すよう一定幅の底板（図示せず）が取り付けられている。
【００４６】
ここで、覆設器３１は、これを建造物の隅角部に覆設したとき、上記頂板３１１の２つの側板の接合部側が、その接合部に対向する対角部側に対して若干高くなるよう、該頂板３１１を傾斜させた構造となっている。また、頂板３１１の、入偶部１１１ｅが形成された対角部には、入偶部１１１ｅに沿って３つのネジ穴１１４が形成されており、また、該頂板３１１上には、上記入偶部１１１ｅが形成された対角部を挟む２辺のそれぞれのほぼ中央に位置するよう、撚線形状受雷部連結器３４ａ、及び３４ｂが設けられている。
【００４７】
撚線形状受雷部連結器３４ａ及び３４ｂは、それぞれ、撚線形状受雷部３６の一端に取り付けられるテーパーネジ部材３５と、上記頂板３１１に溶接により固定され、該テーパーネジ部材３５が取り付けられる連結部材３７とから構成されている。
【００４８】
図８及び図９は、本実施の形態３における撚線形状受雷部連結器に撚線形状受雷部を取付けた状態を示す図であり、図８は断面詳細図、図９は正面図である。
【００４９】
連結部材３７は、テーパーネジ部材３５を覆設器３１に取付けるための部材であり、一端が円弧状に加工された略長方形平面形状を有するアルミニュウム製の金物で、その表面はアルマイト加工されている。この連結部材３７には、雌ネジ部３７１が形成され、雌ネジ部３７１の中心は、その円弧の中心と略一致する。連結部材３７は、頂板３１１に溶接部３７２によって取付けられている。
【００５０】
テーパーネジ部材３５は、図８及び図９に示すように、上記連結部材３７に取り付けられる接続端子３５１と、該接続端子３５１に装着されるテーパーナット３５２とからなる。
【００５１】
テーパーナット３５２は、頭部３５２１と、軸部３５２２とを有し、頭部３５２１及び軸部３５２２の内壁面には勾配が付けられ、その内壁面の一部に雌ネジ部３５２３が形成された円筒状の雌ネジである。
【００５２】
接続端子３５１は、頭部３５１１と、軸部３５１２と、雄ネジ部３５１３とを有し、軸部３５１２が円筒状とされたテーパーネジである。雄ネジ部３５１３は、頭部３５１１と軸部３５１２との間に周設され、連結部材３７に形成された雌ネジ部３７１に螺合して、接続端子３５１を連結部材３７に固定するものである。軸部３５１２の軸部３５１２の外周面には勾配を有する雄ネジ部３５１２ａが形成され、該軸部３５１２は、先端側から軸方向に沿って切り込んで先割り３５１２ｂが形成されている。
【００５３】
接続端子３５１にテーパーナット３５２が螺着されることより、先割り３５１２ｂの間隔が狭くなり、軸部３５１２が半径方向に圧縮されて、円筒状の軸部３５１２内に挿入された撚線形状受雷部３６が、テーパーネジ部材３５に圧着固定される。
【００５４】
撚線形状受雷部３６は、撚線からなる受雷部であり、雷撃を受止めるとともに、隅角部用受雷部への落雷によって生じた雷電流を図示されない接地極へ流すものである。
【００５５】
次に本実施の形態３の隅角部用受雷部をパラペットに取付ける手順を説明する。
実施の形態１の隅角部用受雷部１０の取り付け手順と同様に、先ず、覆設器３１を、パラペットの上部表面を覆う笠木上に、底板（図示せず）の内側端をパラペットの外側面に密接させて、パラペットの隅角部を覆うようにして仮置きする。次に、仮置きされた覆設器３１に固定器（図示せず）を、該固定器の底板及び側板をパラペットのアゴ部に密接させてネジ部材を用いて取付ける。この際、ネジ部材を締め付けることにより、パラペットが覆設器３１と固定器とにより挟み付けられ、隅角部用受雷部がパラペットに固定されて設置される。
【００５６】
そして、隅角部用受雷部に取り付けられた連結部材３７に円筒状の接続端子３５１を螺着させ、接続端子３５１へ撚線形状受雷部３６の先端部を挿入する。接続端子３５１にテーパーナット３５２を螺着して、接続端子３５１に撚線形状受雷部３６を圧着固定する。これにより撚線形状受雷部３６は隅角部用受雷部３０と電気的及び機械的に接合される。
【００５７】
以上のように、本実施の形態３では、パラペットの隅角部に設定される、雷撃を受け止める隅角部用受雷部を、パラペットの上面部とその隣接する二側面とが交差する隅角部を覆う略箱状型の覆設器３１と、該覆設器３１の、上記二側面の接合部の対角部に吊設される略箱型状の固定器と、覆設器３１と固定器とを、これらによりパラペットが挟み付けられるよう締め付け固定するネジ部材とから構成したので、隅角部用受雷部のパラペットの隅角部への設置は、パラペット上にその隅角部を覆うよう覆設器３１を配置し、覆設器３１に固定器をネジ部材により締め付け固定することにより、簡単に行うことができる。
【００５８】
また、覆設器３１の頂板３１１上の側縁部には、本実施の形態３の隅角部用受雷部に他の撚線形状受雷部３６を圧着固定する撚線形状受雷部連結器３４ａ及び３４ｂが設けられているので、パラペットの隅角部を除く上面部に配設される撚線形状受雷部３６と本実施の形態３の隅角部用受雷部との機械的かつ電気的な接続を簡単に行うことができる。
【００５９】
なお、上記各実施の形態では、覆設器及び固定器の外形は略立方体形状としているが、例えば、覆設器は、外形形状を、図１０(a)に示すように略角柱台形状とした覆設器１１ａでもよい。図１０(b)は、この覆設器１１ａを、セットバックを有する、つまりその下端側が外側に広がるよう外側面１ａｓを斜めに傾斜させたパラペット１ａに取り付けた状態を示す断面図であり、この覆設器１１ａの外側面１１１３ａは上記パラペット１ａの外側面１ａｓと一定間隔隔てて位置している。このような構造の覆設器１１ａを有する隅角部受雷部は、パラペット１ａが上記のようなセットバックを有する場合でも、パラペットに精度よく設置することができるものである。
【００６０】
また、上記各実施の形態の隅角部用受雷部を構成する覆設器は、外形形状を、図１０(c)に示すように、円柱をその底面及び上面が扇型形状となるよう４分割して得られる略４分割円柱形状とした覆設器１１ｂであり、上記各実施の形態の隅角部用受雷部を構成する固定器は、外形形状を、図１０(d)に示すように、円柱をその底面及び上面が扇型形状となるよう４分割して得られる略４分割円柱形状とした固定器１２ｂでもよい。
【００６１】
図１０(e)は、この覆設器１１ｂを、外側面１ｂｓが湾曲したパラペット１ｂに取り付けた状態を示す断面図であり、この覆設器１１ｂは、その側板１１１３ｂが上記パラペット１ｂの外側面１ｂｓと一定間隔隔てて位置するよう配置されている。上記固定器１２ｂは、その側板１１２３が上記パラペット１ｂの内側面１ｂｕに密着するよう、上記覆設器１１ｂに取り付けられている。なお、図１０(c)〜図１０(e)において、１１１１は、覆設器１１ｂの扇型形状頂板、１１１２は、上記側板１１１３に、その下端に沿ってその内側に迫り出すよう取り付けられた一定幅の底板である。また、１１２１は、固定器１２ｂの扇型形状頂板、１１２２は、上記側板１１２３に、その下端に沿ってその外側に迫り出すよう取り付けられた一定幅の底板である。
このような構造の覆設器１１ｂを有する隅角部受雷部は、隅角部が円筒の周壁のように湾曲したパラペット１ｂに精度よく設置することができる。
【００６２】
また、上記各実施の形態では、連結器を頂板にのみ取り付けた隅角部用受雷部を示しているが、隅角部用受雷部は、連結器を頂板以外の部分に取り付けたものであってもよい。
例えば、図１１(a)及び図１１(b)は、連結器を頂板以外の部分に取り付けた隅角部用受雷部を説明する平面図及び断面図である。
【００６３】
上記図１１(a)及び図１１(b)に示す隅角部用受雷部は、実施の形態１の隅角部用受雷部の側板１１３ａ及び側板１１３ｂに、図７に示す撚線形状受雷部連結器３４ａ及び３４ｂを取り付けた隅角部用受雷部である。
【００６４】
このような隅角部用受雷部では、隅角部用受雷部の側板１１３ａ及び側板１１３ｂに受雷部連結器３４ａ及び３４ｂが取り付けられているので、隅角部用受雷部に接続する撚線形状受雷部もしくは撚線状避雷導線を建造物側面部に沿って設置することも可能である。
【００６５】
なお、隅角部用受雷部の側板に取り付ける連結器は、図１１(a)及び図１１(b)に示す撚線形状受雷部連結器に限らず、実施の形態１で説明した隅角部用受雷部の凸型断面形状連結器であっても、または実施の形態２で説明した隅角部用受雷部の平板状連結器であってもよい。この場合、凸型断面形状連結器には前記コ字型断面形状受雷部を、また、平板状連結器には前記帯板形状受雷部を取付けることができる。
【産業上の利用可能性】
【００６６】
本発明に係る隅角部用受雷部は、建造物の隅角部以外の部分に設置される伸長方向用受雷部と接合されるものであり、建造物の隅角部への取り付けを簡単にでき、しかも建造物の隅角部を落雷から保護するものであり、避雷設備を含む建造物の建設工事を行う上で有用なものである。
【図面の簡単な説明】
【００６７】
【図１】本発明の実施の形態１による隅角部用受雷部１０を説明する斜視図である。
【図２（ａ）】上記実施の形態１の隅角部用受雷部を構成する覆設器１１を示す平面図である。
【図２（ｂ）】上記実施の形態１の隅角部用受雷部を構成する固定器１２を示す平面図である。
【図３】上記実施の形態１の隅角部用受雷部をパラペットに取付けた状態を示す平面図である。
【図４】上記実施の形態１の隅角部用受雷部をパラペットに取付けた状態を示す断面図である。
【図５】本発明の実施の形態２による隅角部用受雷部を説明する平面図であり、該隅角部用受雷部を構成する覆設器２１を示している。
【図６】上記実施の形態２の隅角部用受雷部に設けられた平板状連結器に帯板形状受雷部２６を取付けた状態を示す断面図である。
【図７】本発明の実施の形態３による隅角部用受雷部を説明する平面図であり、該隅角部用受雷部を構成する覆設器３１を示している。
【図８】上記実施の形態３の覆設器３１に設けられている撚線形状受雷部連結器に撚線形状受雷部３６を取付けた状態を示す断面詳細図である。
【図９】上記実施の形態３の覆設器３１に設けられている撚線形状受雷部連結器に撚線形状受雷部を取付けた状態を示す正面図である。
【図１０（ａ）】実施の形態１の隅角部用受雷部の覆設器を、建造物の、側面が傾斜した隅角部に対応するよう変形した覆設器を説明する平面図である。
【図１０（ｂ）】図１０(a)に示す覆設器を有する隅角部用受雷部を、建造物の隅角部に取付けた状態を示す断面図である。
【図１０（ｃ）】実施の形態１の覆設器の側板を、円筒周壁のように湾曲したパラペットの隅角部に取り付け可能となるよう変形した覆設器を説明する平面図である。
【図１０（ｄ）】実施の形態１の固定器の側板を、円筒周壁のように湾曲したパラペットの隅角部に取り付け可能となるよう変形した固定器を説明する平面図である。
【図１０（ｅ）】図１０(c)に示す覆設器と図１０(d)に示す固定器とからなる隅角部用受雷部を、湾曲したパラペットの隅角部に取付けた状態を示す断面図である。
【図１１（ａ）】上記実施の形態１の隅角部用受雷部の側板に撚線形状受雷部連結器を取り付けた隅角部用受雷部を説明する平面図である。
【図１１（ｂ）】上記実施の形態１の隅角部用受雷部の側板に撚線形状受雷部連結器を取り付けた隅角部用受雷部を、建造物の隅角部に取り付けた状態を示す断面図である。
【図１２（ａ）】建造物の隅角部に設置される従来の避雷設備の取付け状態を示す平面図である。
【図１２（ｂ）】建造物の隅角部に設置される従来の避雷設備の取付け状態を示す正面図である。
【符号の説明】
【００６８】
１，１ａ，１ｂ  パラペット
２  笠木
１０  隅角部用受雷部
１１，１１ａ，１１ｂ，２１，３１  覆設器
１２，１２ｂ  固定器
１１１，１２１，２１１，３１１，１１１１，１１１２  頂板
１１１ｅ  入隅部
１１２，１２２  底板
１１３ａ，１１３ｂ，１２３ａ，１２３ｂ，１１１３，１１１３ａ，１１１３ｂ，１１２３  側板
１１４，１２４  ネジ穴
１３  ネジ部材
１３１  ボルト
１３２  ナット
１３３  座金
１４ａ，１４ｂ  凸型断面形状連結器
１４１ａ，１４１ｂ，２４１  雌ネジ部
１４２，２４２  溶接部
１５，２５  ネジ部材
１５１  ボルト
１５２  バネ座金
１６ａ，１６ｂ  コ字型断面形状受雷部
２１５  雌ネジ部
２４ａ，２４ｂ  平板平面形状連結器
２６  帯板形状受雷部
３４ａ，３４ｂ  撚線形状受雷部連結器
３５  テーパーネジ部材
３５１  接続端子
３５１１，３５２１  頭部
３５１２，３５２２  軸部
３５１２ａ  雄ネジ部
３５１２ｂ  先割り
３５１３  雄ネジ部
３５２  テーパーナット
３５２３  雌ネジ部
３６  撚線形状受雷部
３７  連結部材
３７１  雌ネジ部
３７２  溶接部
１０００  建造物
１００１  帯板形状受雷部
１００２  受雷部取付金物
１００３  Ｌ字型継手
１００４  ネジ部材
【図１】
2005204447.tif 000003
【図２（ａ）】
2005204447.tif 000004
【図２（ｂ）】
2005204447.tif 000005
【図３】
2005204447.tif 000006
【図４】
2005204447.tif 000007
【図５】
2005204447.tif 000008
【図６】
2005204447.tif 000009
【図７】
2005204447.tif 000010
【図８】
2005204447.tif 000011
【図９】
2005204447.tif 000012
【図１０（ａ）】
2005204447.tif 000013
【図１０（ｂ）】
2005204447.tif 000014
【図１０（ｃ）】
2005204447.tif 000015
【図１０（ｄ）】
2005204447.tif 000016
【図１０（ｅ）】
2005204447.tif 000017
【図１１（ａ）】
2005204447.tif 000018
【図１１（ｂ）】
2005204447.tif 000019
【図１２（ａ）】
2005204447.tif 000020
【図１２（ｂ）】
2005204447.tif 000021